(57)【要約】【課題】テレビ受像機におけるオンスクリーン表示は、大画面化が進むにつれ、高解像度な、美しいオンスクリーン表示が求められるようになり、必要とするメモリー量が増大していく傾向にある。【解決手段】オンスクリーン表示プレーンを複数のオンスクリーン表示プレーン領域に分け、それぞれに色数や解像度の異なるプレーンを割り付けることで、高精細なオンスクリーン表示が必要なものについては高精細に表示し、且つ、メモリー量を削減する。【選択図】図１
2008107601.tif 000002
【特許請求の範囲】
【請求項１】
オンスクリーン表示プレーンを第１のオンスクリーン表示プレーンと第２のオンスクリーン表示プレーンに分割し、
前記第１のオンスクリーン表示プレーンと前記第２のオンスクリーン表示プレーンの色数が異なることを特徴とするオンスクリーン表示装置。
【請求項２】
前記第１のオンスクリーンの色数は３２ｂｉｔであり、
前記第２のオンスクリーンの色数は８ｂｉｔ、１６ｂｉｔまたは２４ｂｉｔであることを特徴とする請求項１に記載のオンスクリーン表示装置。
【請求項３】
前記第１のオンスクリーン表示プレーンと前記第２のオンスクリーン表示プレーンが上下に分割されたことを特徴とする請求項１に記載のオンスクリーン表示装置。
【請求項４】
前記第１のオンスクリーン表示プレーンと前記第２のオンスクリーン表示プレーンが左右に分割されたことを特徴とする請求項１に記載のオンスクリーン表示装置。
【請求項５】
前記第１のオンスクリーン表示プレーンを、さらに前記第３のオンスクリーン表示プレーンと前記第４のオンスクリーン表示プレーンに分割し、
前記第３のオンスクリーン表示用のフレームバッファを割り当てないことを特徴とする請求項３または４に記載のオンスクリーン表示装置。
【請求項６】
前記第３のオンスクリーン表示プレーンは、移動可能であることを特徴とする請求項５に記載のオンスクリーン表示装置。
【発明の詳細な説明】
【技術分野】
【０００１】
本発明は、テレビ受像機におけるオンスクリーン表示に関するものである。
【背景技術】
【０００２】
テレビ受像機におけるオンスクリーン表示は、デジタル化に伴い、複雑化、高度化が著しく、複数のオンスクリーン表示面を持つものが多くなってきている。一方、大画面化が進み、高解像度な、美しいオンスクリーン表示が求められるようになってきている。
【０００３】
一般にデジタルテレビは、図９のように、アンテナ９０１から受信した電波をチューナー９０２で選局し、映像・音声をデコード９０４し、ビデオ表示プレーンに表示を行う。また、これとは別に、メニューや情報表示を映像に重畳させて表示する、オンスクリーン表示用プレーンを用意する。このオンスクリーン表示用プレーンは、テレビにより単一のものを用意するものや、複数設け、合成して表示させるものもある（例えば、特許文献１に記載。）。
【０００４】
通常、このオンスクリーン表示用プレーンは図１０に示すように、８・１６・２４・３２ビットのいずれかの色深度を持つ全画面で１枚のプレーンである。
【特許文献１】特開平５−３０７３７９号公報
【発明の開示】
【発明が解決しようとする課題】
【０００５】
近年、テレビ受像機の薄型化・大型化に伴い、オンスクリーン表示の品質、解像度が問題となってきている。美しい自然色の高解像度オンスクリーン表示を実現しようとした場合、たとえば、１９２０ｘ１０８０画素、１画素あたり３２ビットの高画質オンスクリーン表示を実現しようとした場合、１画面あたり、１９２０ｘ１０８０ｘ３２／８  ＝  ８２９４４００バイトのメモリーが必要となる。
【０００６】
従って、単一のプレーン構成で、フレームバッファ用メモリーを制限しようとした場合、色数か、解像度かのいずれかを重視した構成となり、色数と解像度の両立は不可能であった。
【０００７】
また、複数プレーンを重畳する構成の場合、例えば３２ビットフルカラープレーンと８ビットインデックスカラープレーンを重畳するとして、各プレーンは全画面に渡って確保されているため、フルカラープレーン  ８２９４４００バイト＋インデックスカラープレーン２０７３６００バイト＝１０３６８０００バイトの膨大なメモリーを必要とする。
【課題を解決するための手段】
【０００８】
色数の異なる複数のプレーンを組み合わせ、１つのオンスクリーン表示プレーンを構成する。オンスクリーン表示領域を複数の領域に分け、それぞれに独立したフレームバッファを割り当てる。それらをオンスクリーン表示制御装置によって、一枚の全画面領域に、アナログ的、あるいはデジタル的に、投影・合成する。
【０００９】
本発明では図１のように、フルカラー領域とその他の領域に分け、それぞれ、必要な領域分のフレームバッファを用意する。物理的に２つの独立したフレームバッファを、オンスクリーン表示制御装置により、全画面内のそれぞれの領域に投影する。
【００１０】
このような構成にすると、解像度を犠牲にすることなくフレームバッファメモリー領域を削減しながら、要所にフルカラー表示を行い、美しいオンスクリーン表示を実現することができる。
【発明の効果】
【００１１】
高解像度と自然色表現を合わせ持ち、かつ、メモリー効率の良いオンスクリーン表示が可能である。
【発明を実施するための最良の形態】
【００１２】
以下本発明を実施するための最良の形態について、図面を参照しながら説明する。
【００１３】
（実施の形態１）
図２に本発明のオンスクリーンディスプレイの実施の形態の一例を示す。
【００１４】
本実施の形態では、オンスクリーン表示プレーンを上下２つに分割する。分割した上側のオンスクリーン表示プレーン２０１には３２ｂｉｔのフルカラー領域を用い、フルカラーの意匠を凝らしたタイトル表をする。一方、分割した下側のオンスクリーン表示プレーン２０２には、８ｂｉｔのインデックスカラー領域を用いる。
【００１５】
本実施の形態では、図３に示すように、ポップアップメニューやバナーなど、高精細なオンスクリーン表示が必要なものを分割した上側に配置することにより、フルカラー表示を生かしたデザインとすることができる。
【００１６】
また、シンプルなバナー・パネルなど、高精細なオンスクリーンが必要でないものは、分割した下側のインデックスカラー部に置くこともできる。
【００１７】
かかる構成によると、オンスクリーン表示プレーンをフルカラー領域とインデックスカラー領域に分割することにより、メモリサイズを抑えつつ、且つ、高精細なオンスクリーン表示が必要なものについては高精細に表示することができる。これにより、高解像の表示が可能で、且つ、メモリサイズの小さいオンスクリーン表示装置を実現することができる。
【００１８】
なお、フルカラーエリアには、タイトルなど、細かい表示よりも色数を重視した表示を行い、インデックスカラー領域にはデザインよりも情報量を重視した表示を行うことを前提として、フルカラーエリアの解像度を落とせばより必要メモリーを削減することができる。
【００１９】
また、本実施の形態ではフルカラーを３２ｂｉｔとし、インデックスカラーを８ｂｉｔとしたがこれに限るものではなく、フルカラーのｂｉｔ数がインデックスカラーのｂｉｔより大きければよい。したがって、例えば、フルカラーを３２ｂｉｔとして、インデックスカラーの１６ｂｉｔあるいは２４ｂｉｔとすることも可能である。
【００２０】
（実施の形態２）
図４に本発明のオンスクリーンディスプレイの他の実施の形態一例を示す。
【００２１】
本実施の形態では、オンスクリーン表示プレーンを左右２つに分割する。分割した左側のオンスクリーン表示プレーン４０１には３２ｂｉｔのフルカラー領域を用い、番組表スポンサーの広告画面４０３などを配置する。一方、分割した右側のオンスクリーン表示プレーン４０２には、８ｂｉｔのインデックスカラーの情報表示を用い、タイトルおよび、情報表示４０４などを配置する。
【００２２】
このような構成にした場合、図５のようにポップアップメニューなど、高精細なオンスクリーン表示が必要なものを分割した上側に配置することにより、フルカラーのデザインを凝らしたものとすることができる。
【００２３】
かかる構成によると、オンスクリーン表示プレーンをフルカラー領域とインデックスカラー領域に分割することにより、メモリサイズを抑えつつ、且つ、高精細なオンスクリーン表示が必要なものについては高精細に表示することができる。これにより、高解像の表示が可能で、且つ、メモリサイズの小さいオンスクリーン表示装置を実現することができる。
【００２４】
なお、２つのプレーンを異なるパレットを使用するインデックスカラープレーンとすれば、１つの全画面インデックスカラープレーンとほぼ同じメモリー使用量で、ほぼ倍の色数を利用することができる。これを利用し、広告表示領域には広告表示用に定められた色を設定し、他方には、それに縛られない情報表示用の配色を行うことができる。
【００２５】
（実施の形態３）
図６はオンスクリーン表示プレーンを上下２つに分割し、分割されたオンスクリーン表示プレーンの上側のオンスクリーン表示プレーンを、さらに左右に分割する。分割した下側のオンスクリーン表示プレーン６０２には８ｂｉｔのインデックスカラー領域を用い、分割した右上側のオンスクリーン表示プレーン６０１には３２ｂｉｔのフルカラー領域を用いる。一方、分割した左上側のオンスクリーン表示プレーン６０３については、分割した左上の領域は映像表示のみ表示しオンスクリーン表示をしない領域とし、この領域にはオンスクリーン表示用のフレームバッファを割り当てない。
【００２６】
かかる構成によると、分割した左上側のオンスクリーン表示プレーン６０３についてはオンスクリーン表示用のフレームバッファを割り当てないので、メモリサイズを抑えることができる。
【００２７】
なお、図７のように、オンスクリーン表示プレーンを左右２つに分割し、分割されたオンスクリーン表示プレーンの左側のオンスクリーン表示プレーンを、さらに上下に分割し、分割した左側のオンスクリーン表示プレーン７０２には８ｂｉｔのインデックスカラー領域を用い、分割した左下側のオンスクリーン表示プレーン６０１には３２ｂｉｔのフルカラー領域を用い、分割した左下の領域は映像表示のみ表示しオンスクリーン表示をしない領域とし、この領域にはオンスクリーン表示用のフレームバッファを割り当てない構成としても良い。
【００２８】
（実施の形態４）
本実施の形態においては、実施の形態３の構成に加えて、さらにオンスクリーン表示制御装置に与える信号により、動的な映像領域の移動を可能にしたものである。
【００２９】
オンスクリーン表示装置は、図示しない入力手段を通じて、映像領域の表示場所を検知し、２分割されたオンスクリーン表示領域のうち、映像領域を含む側のフレームバッファの表示領域をオンスクリーン表示制御装置によって移動可能としている。
【００３０】
かかる構成によると、ユーザーの所望の位置に映像領域を指定することができ、視認性が向上する。
【産業上の利用可能性】
【００３１】
本発明にかかるオンスクリーン表示装置は、高解像度と自然色表現を合わせ持ち、かつ、メモリー効率の良いオンスクリーン表示が可能となるものであり、テレビ受像機等におけるオンスクリーン表示等において有用である。
【図面の簡単な説明】
【００３２】
【図１】本発明のオンスクリーン表示プレーンとフレームバッファを示す図
【図２】本発明の実施例１における画面構成例−１を示す図
【図３】本発明の実施例１における画面構成例−２を示す図
【図４】本発明の実施例２における画面構成例−１を示す図
【図５】本発明の実施例２における画面構成例−２を示す図
【図６】本発明の実施例３における画面構成例−１を示す図
【図７】本発明の実施例３における画面構成例−２を示す図
【図８】本発明の実施例４における画面構成例を示す図
【図９】一般的なデジタルテレビの構成図
【図１０】従来のオンスクリーン表示プレーンとフレームバッファを示す図
【符号の説明】
【００３３】
１０１    オンスクリーン表示用フレームバッファ１（ＶＲＡＭ１）
１０２    オンスクリーン表示用フレームバッファ２（ＶＲＡＭ２）
１０３    オンスクリーン表示プレーン１
１０４    オンスクリーン表示プレーン２
２０１    オンスクリーン表示プレーン１
２０２    オンスクリーン表示プレーン２
２０３    オンスクリーン表示プレーン１内での表示例
２０４    オンスクリーン表示プレーン２内での表示例
３０１    オンスクリーン表示プレーン１内での表示例１
３０２    オンスクリーン表示プレーン１内での表示例２
３０３    オンスクリーン表示プレーン２内での表示例１
３０４    オンスクリーン表示プレーン２内での表示例２
４０１    オンスクリーン表示プレーン１
４０２    オンスクリーン表示プレーン２
４０３    オンスクリーン表示プレーン１内での表示例
４０４    オンスクリーン表示プレーン２内での表示例
５０１    オンスクリーン表示プレーン１内での表示例
５０２    オンスクリーン表示プレーン２内での表示例１
５０３    オンスクリーン表示プレーン２内での表示例２
６０１    オンスクリーン表示プレーン１
６０２    オンスクリーン表示プレーン２
６０３    映像表示領域
７０１    オンスクリーン表示プレーン１
７０２    オンスクリーン表示プレーン２
７０３    映像表示領域
８０１    移動前オンスクリーン表示プレーン１
８０２    オンスクリーン表示プレーン２
８０３    移動前映像表示領域
８０４    移動後オンスクリーン表示プレーン１
８０５    オンスクリーン表示プレーン２
８０６    移動後映像表示領域
９０１    アンテナ
９０２    チューナー
９０３    復調機
９０４    ＴＳデコーダ
９０５    音声デコーダ
９０６    映像デコーダ
９０７    表示制御装置
９０８    入出力
９０９    ＮＶＲＡＭ
９１０    ＲＯＭ
９１１    ＣＰＵ
９１２    ＲＡＭ（主メモリー）
９１３    ＶＲＡＭ（ビデオ表示用メモリー）
１００１    オンスクリーン表示用フレームバッファ（ＶＲＡＭ）
１００２    オンスクリーン表示プレーン
【図１】
2008107601.tif 000003
【図２】
2008107601.tif 000004
【図３】
2008107601.tif 000005
【図４】
2008107601.tif 000006
【図５】
2008107601.tif 000007
【図６】
2008107601.tif 000008
【図７】
2008107601.tif 000009
【図８】
2008107601.tif 000010
【図９】
2008107601.tif 000011
【図１０】
2008107601.tif 000012